(57)【要約】【課題】開水路を流れる排水を高効率で浄化し、かつ目詰まりが少ない、開水路浄化装置を提供する。【解決手段】本発明の開水路排水浄化装置１００は、基体部２００と担体３００とを含む。基体部２００は、開水路９００の流下方向に沿って設置される。さらに、基体部２００は、支持部２１０と区画部２５０とを含む。支持部２１０は、開水路９００の開口側部９１０で支持される。区画部２５０は透水性であり、支持部２１０から開水路９００の底方向に向かって延設されている。担体３００は基体部２００の区画部２５０に、流下方向に沿って固定されている。【選択図】図２
2017172182.tif 000002
【特許請求の範囲】
【請求項１】
開水路に設置され、
前記開水路で支持される支持部と、
前記開水路の延在方向に沿って延在させられ、前記開水路の内部を深さ方向に区画し、かつ連通孔が設けられた区画部と、
前記区画部に、前記開水路の延在方向に沿って固定された担体と、
を含む、開水路排水浄化装置。
【請求項２】
前記担体が、前記区画部の、前記開水路の底側に固定されている、請求項１に記載の開水路排水浄化装置。
【請求項３】
前記担体が、前記開水路の底から１０ｍｍ以上１００ｍｍ以下の間隔をあけて固定されている、請求項１または２に記載の開水路排水浄化装置。
【請求項４】
前記連通孔が、前記区画部において、前記担体の固定位置よりも前記開水路の底側に設けられている、請求項２または３のいずれか１項に記載の開水路排水浄化装置。
【請求項５】
前記区画部が、前記開水路の幅方向の断面形状において線対称となるように構成されている、請求項１から４のいずれか１項に記載の開水路排水浄化装置。
【請求項６】
前記支持部が、前記開水路の開口側部に載せ掛けられるように構成されている、請求項１から５のいずれか１項に記載の開水路排水浄化装置。
【発明の詳細な説明】
【技術分野】
【０００１】
本発明は、開水路用の排水浄化装置に関する。より具体的には、本発明は、開水路を流れる排水を安価かつ高効率で浄化することができる浄化装置に関する。
【背景技術】
【０００２】
従来の一般的な開水路には排水を浄化する機能は備わっていない。しかしながら、排水中のごみ等の固形物を除去したり排水を浄化したりする目的で、開水路に液体浸透性ブロックまたは浄水フィルターを設置する手法の提案はなされている。
【０００３】
例えば、特開平８−１６５６９８号公報（特許文献１）では、液体透水性ブロックの内部または下部に、複数の孔を有する透過部材を組み付けることにより、開水路の透水性能および固形物の除去性能を向上させている。
【０００４】
また、特開２００２−１１５３１２号公報（特許文献２）では、側溝に設置される集水マスに、通水ケースに組み込んだ浄水フィルターを設置し、浄水フィルターを着脱容易にすることにより、開水路を流れる排水を浄化できまた、浄水フィルターが目詰まりした場合も、容易に清掃できるよう考慮されている。
【先行技術文献】
【特許文献】
【０００５】
【特許文献１】特開平８−１６５６９８号公報
【特許文献２】特開２００２−１１５３１２号公報
【発明の概要】
【発明が解決しようとする課題】
【０００６】
特許文献１の手法によると、固形物を除去することはできるが、透水性ブロック内に棲息する微生物量が少ないので、排水中の溶解性有機成分の浄化効率は低い。
特許文献２の手法によると、浄水フィルターが設置される場所が、流下方向に点在させられた集水マスに限定されるため、浄化効率が低い。また、流路を遮るように浄水フィルターが設置されているため、フィルターの目詰まりの頻度が多くなる。
【０００７】
そこで、本発明の目的は、開水路を流れる排水を高効率で浄化し、かつ目詰まりが少ない、開水路浄化装置を提供することにある。
【課題を解決するための手段】
【０００８】
上記本発明の目的を達成するため、本発明は以下の発明を含む。
（１）
本発明の開水路排水浄化装置は、開水路に設置されるべきものである。本発明の開水路排水浄化装置は、支持部と、区画部と、担体とを含む。
支持部は、開水路で支持される。区画部は、開水路の延在方向に沿って延在させられ、かつ開水路の内部を深さ方向に区画する。区画部には、連通孔が設けられている。担体は、区画部に、開水路の延在方向に沿って固定されている。
【０００９】
このように、本発明の開水路排水浄化装置は、開水路で支持される支持部を有することによって、開水路に使用することができる。また、本発明の開水路排水浄化装置は、開水路の延在方向に沿って担体が固定されているため、排水を高効率で浄化することができる。さらに、本発明の開水路排水浄化装置は、区画部が開水路の延在方向に沿って設置されるため、排水中の固形物の、区画部への詰まりを防止しやすい。開水路の内部を深さ方向に区画することで、内部空間を、開口部側と底側とに区画する。そして、区画された内部空間の少なくとも１つを浄化部として利用することができる。
【００１０】
（２）
上記（１）の開水路排水浄化装置は、担体が、区画部の、開水路の底側に固定されていてよい。
【００１１】
この場合、担体が底側を向いているため、担体に固形物が付着しにくく、仮に付着した場合であっても剥離しやすくなる。
【００１２】
（３）
上記（１）または（２）の開水路排水浄化装置は、担体が、開水路の底から１０ｍｍ以上１００ｍｍ以下の間隔をあけて固定されていてよい。
【００１３】
これによって、排水中の固形物の詰まりを防止しやすく、かつ、排水を担体に接触させやすい。
【００１４】
（４）
上記（２）または（３）の開水路排水浄化装置は、連通孔が、区画部において、担体の固定位置よりも開水路の底側に設けられていてよい。
【００１５】
これによって、担体が開水路内の排水に接触しやすい。
【００１６】
（５）
上記（１）から（４）のいずれかの開水路廃水浄化装置は、区画部が、開水路の幅方向の断面形状において線対称となるように構成されてよい。
【００１７】
当該断面形状における線対称の軸は、開水路の幅方向の中央位置における深さ方向の直線である。これによって、開水路内の排水が幅方向のいずれかに偏る傾向がなく、かつ、担体との接触面積を増やすことができる。
【００１８】
（６）
上記（１）から（５）のいずれかの開水路排水浄化装置は、支持部が、開水路の開口側部に載せ掛けられるように構成されていてよい。
【００１９】
これによって、本発明の開水路排水浄化装置は、開水路の上部から容易に取り付けることができ、かつ、取り外しも容易である。
【発明の効果】
【００２０】
本発明によれば、開水路を流れる排水を高効率で浄化し、かつ目詰まりが少ない、開水路浄化装置が提供される。
【図面の簡単な説明】
【００２１】
【図１】第１実施形態の開水路排水浄化装置の模式的外観斜視図である。
【図２】第１実施形態の開水路排水浄化装置の使用時態様を、図１におけるII-II線で切った模式的断面図で示す。
【図３】第１実施形態の第１変形例の開水路排水浄化装置の使用時態様を示す模式的断面図である。
【図４】第１実施形態の第２変形例の開水路排水浄化装置の使用時態様を示す模式的断面図である。
【図５】第１実施形態の第３変形例の開水路排水浄化装置を示す模式的断面図である。
【図６】第１実施形態の第４変形例の開水路排水浄化装置を示す模式的断面図である。
【図７】第１実施形態の第５変形例の開水路排水浄化装置を示す模式的断面図である。
【図８】第２実施形態の開水路排水浄化装置の使用時態様を示す模式的断面図である。
【図９】第２実施形態の第１変形例の開水路排水浄化装置の使用時態様を示す模式的断面図である。
【図１０】第２実施形態の第２変形例の開水路排水浄化装置の使用時態様を示す模式的断面図である。
【図１１】第３実施形態の開水路排水浄化装置の使用時態様を示す模式的断面図である。
【図１２】支持部の態様が異なる第１変形例の開水路排水浄化装置の模式的部分断面図である。
【図１３】支持部の態様が異なる第２変形例の開水路排水浄化装置の使用時態様を示す模式的断面図である。
【図１４】支持部の態様が異なる第３変形例の開水路排水浄化装置の使用時態様を示す模式的断面図である。
【発明を実施するための形態】
【００２２】
以下、図面を参照しつつ、本発明の実施の形態について説明する。以下の説明では、同一の要素には同一の符号を付しており、それらの名称および機能も同じである。したがって、それらについての詳細な説明は繰り返さない。
【００２３】
［１．第１実施形態］
［１−１．基本構成］
図１に、第１実施形態の開水路排水浄化装置の模式的外観斜視図を示し、図２に、第１実施形態の開水路排水浄化装置の使用時の態様を、図１におけるII-II線で切った模式的断面図で示す。
【００２４】
図１および図２に示す開水路排水浄化装置１００は、開水路９００に装着されて使用される場合に開水路の延在方向に延在するように構成された長尺体である。図１においては、便宜上、この長尺体の一部を表示している。開水路９００は、上部が開口した溝形状であり、排水Ｗを配水している。図２に示すように、開水路排水浄化装置１００は、開水路９００の排水Ｗを浄化するために用いられる。
【００２５】
開水路排水浄化装置１００は、基体部２００と担体３００とを含む。
【００２６】
［１−２．基体部］
基体部２００は、支持部２１０と区画部２５０とを含む。
【００２７】
［１−２−１．支持部］
支持部２１０は、開水路排水浄化装置１００が開水路９００に装着された状態を保持する部分である。支持部２１０は、開水路９００のいずれかの部分に対して支持されるように構成されればどのような態様であってもよいが、本実施形態では、支持部２１０は、開水路９００の開口側部９１０に支持されるように構成されている。さらに本実施形態の支持部２１０は、基体部２００の幅方向の両端に一対設けられ、開水路９００の両方の開口側部９１０それぞれに載せ掛けられて支持されるよう、開口側部９１０の表面形状に沿う水平の板状に形成されている。このため、開水路排水浄化装置１００を開水路９００の上部からかぶせるだけで容易に取り付けることができる。また、開水路排水浄化装置１００の取り外しも、開水路排水浄化装置１００を持ち上げるだけで容易に行うことができる。
【００２８】
［１−２−２．区画部］
区画部２５０は、開水路の延在方向に沿って延在されるように構成されている。本実施形態では、区画部２５０は、開水路の延在方向に沿って一定の断面形状を有する長尺体として構成されている。これによって、区画部２５０が排水Ｗの流路をほとんど遮ることなく区画部２５０の表面に沿って排水Ｗを流すことができるため、排水Ｗの流速が確保され、排水Ｗ中の固形物の区画部２５０への付着を防止しやすい。本実施形態では、区画部２５０の断面形状は、図２に示すような線対称となるように形成されている。このため、排水Ｗ量が幅方向で偏らないため、スムーズな流下が容易となる。
【００２９】
区画部２５０は、開水路９００の内部空間を、深さ方向に区画する。つまり、画部２５０は、開水路９００の内部空間を底側の空間と開口側の空間とに区画する。両空間のうち、一方は浄化部９２０、他方は非浄化部を構成する。
浄化部９２０は、担体３００が存在する側の空間であり、排水Ｗの浄化が行われる空間をいう。本実施形態では、担体３００は、開水路９００の底側に固定されているため、区画部２５０で区画された開水路９００内部空間のうち当該底側の空間が浄化部９２０を構成する。一方、本実施形態では、区画部２５０で区画された開水路９００内部空間のうち担体３００が存在しない開口部側の非浄化部は、排水Ｗの浄化を行わず、流量確保部９３０として機能する。流量確保部９３０は、底部２９０（後述）に排水Ｗを集めることにより排水Ｗの流下を優先させる。
【００３０】
区画部２５０による深さ方向の区画は、区画部２５０が、支持部２１０から開水路９００の底方向に延設されることで具現化される。本実施形態の区画部２５０は、一対の支持部２１０それぞれから当該底方向に向かって傾斜面を構成するように延設された一対の傾斜板状部を含むとともに、基体部２００の幅方向の中央で、開水路９００の底に最も近い底部２９０を構成する。本実施形態の底部２９０は、両傾斜板状部が突き合わされることによりＶ字形状を成しており、開水路９００の底に接触している。このように、区画部２５０は、支持部２１０を介して開水路９００の開口側部９１０に支持されるだけでなく、底部２９０によって開水路９００の底にも接触するため、設置状態が安定する。また、底部２９０が開水路９００の底に接触することで、破損を防止しやすい。このため、たとえば底部２９０が開水路９００の底に接触しない構成によって基体部２００が懸垂されている場合に比べ、基体部２００に要求される強度は大きくなくてよく、安価な材料を含め材料選択の自由度が大きい。
【００３１】
区画部２５０には、連通孔２５５が穿設されている。連通孔２５５は、浄化部９２０と流量確保部９３０とを連通させる貫通孔であり、流量確保部９３０内の排水Ｗの容量が一定量を超えると、浄化部９２０へ排水Ｗを排出する。連通孔２５５は、区画部２５０の延在方向に沿って複数設けられている（図１参照）。
【００３２】
連通孔２５５の当該延在方向における間隔は、浄化部９２０へ排水Ｗを送り易くする観点から一定であることが好ましい。連通孔２５５の当該延在方向における間隔は、開水路９００の流量が多いほど狭く、開水路９００の流量が少ないほど広く設定してよい。当該間隔は、たとえば５０ｍｍ以上５００ｍｍ以下、好ましくは１００ｍｍ以上２００ｍｍ以下であってよい。当該間隔が上記下限以上であることは、製造容易性、ならびに区画部２５０の強度の点で好ましく、上記上限以下であることは、浄化部９２０へ排水Ｗを送り易くする点で好ましい。
【００３３】
連通孔２５５の形状は、本実施例では円形であるが、楕円形および多角形であってもよい。多角形の場合、固形物による閉塞を防止し易くする観点から、四角形以上の多角形であることが好ましい。
【００３４】
連通孔２５５の最大幅（本実施形態では直径）は、たとえば１０ｍｍ以上５０ｍｍ以下、好ましくは２０ｍｍ以上３０ｍｍ以下であってよい。当該最大幅が上記下限以上であることは、固形物による閉塞を防止し易く、浄化部９２０へ排水Ｗを送り易くする点で好ましく、上記上限以下であることは、区画部２５０の強度の点で好ましい。
【００３５】
本実施形態では、図２に示すように、連通孔２５５は、担体３００の固定位置よりも開水路９００の底側と、その反対側（上側）との２列で設けられている。特に、担体３００の固定位置よりも開水路９００の底側に連通孔２５５を設けることは、比較的低い水位でも排水Ｗを浄化部９２０に送り易いとともに、送った排水Ｗを浄化部９２０で担体３００に接触させた状態で流下させやすいため、良好な浄化効率を得る点で好ましい。また、担体３００の固定位置より上側にも連通孔２５５を併せて設けることは、比較的高い水位の場合に、浄化部９２０と流量確保部９３０との間の排水Ｗ交換を効率的に行うことができる点で好ましい。
【００３６】
［１−２−３．材料］
本実施形態において、基体部２００は、板状部材で構成されている。この板状部材は、塩化ビニル系樹脂、オレフィン系樹脂などの熱可塑性樹脂、および、エポキシ系樹脂、不飽和ポリエステル系樹脂などの熱硬化性樹脂、および繊維強化プラスチック（ガラス繊維、カーボン繊維などの繊維材料で樹脂が強化された複合材）などの樹脂材料；セラミックなどの無機材料；木材などの天然物で構成されてよい。また、支持部２１０と区画部２５０とは、同じ材料で構成されてもよいし、互いに異なる材料で構成されてもよい。
【００３７】
［１−３．担体］
担体３００は、比表面積が大きい構造体であって、流下する排水Ｗに対して耐久性を有する物体である。具体的には、多孔質材料（たとえば、無機質多孔体、無機質発泡体、樹脂発泡体など）、繊維質材料（たとえば、不織布、織布、単繊維体、網状体など）、層状材料（たとえば、シート積層体など）が挙げられる。多孔質材料の微細孔は連続孔であることが好ましい。より具体的には、連続気泡の樹脂の発泡体およびセラミック多孔質体が挙げられる。微生物をより多く保持する観点からは、連続気泡の樹脂の発泡体であることが好ましい。樹脂としては、オレフィン系樹脂（特にポリエチレン）、ウレタン樹脂、塩化ビニル系樹脂、アクリル系樹脂などで構成される。
【００３８】
担体３００は排水Ｗが接触させられることで、比表面積が大きい表面に微生物が担持される。微生物が担持された担体３００は、浄化用の接触材として機能する。浄化部９２０内で、微生物が担持された担体３００に排水Ｗが接触することで、排水Ｗが分解処理される。開水路排水浄化装置１００では、担体３００に接触する排水Ｗ中の溶存酸素と、とりわけ排水Ｗの水位の変化（低下）に伴う担体３００の空気中への露出とにより、担体３００に担持された微生物（好気性微生物）に酸素が供給される。これによって、担体３００に担持された微生物が育まれ、浄化機能が持続する。
【００３９】
担体３００は、開水路９００の延在方向に沿って基体部２００に固定されている。担体３００は、当該延在方向に添う面で排水Ｗを浄化することで、排水Ｗの流路をほとんど遮ることなく排水Ｗの流速を確保できるため、担体３００への排水Ｗ中の固形物の付着を防ぎやすい。また、排水Ｗが流下しながら担体３００に接触し続けることができるため、排水Ｗを高効率で浄化することができる。本実施形態では、担体３００は、開水路の流下方向に沿う長尺体として構成されている。また、本実施形態では、断面線対称である区画部２５０を構成する一対の傾斜板状部材それぞれに担体３００が固定されている。区画部２５０が線対称断面となるように構成されていることで、担体３００を固定する面積を効率的に確保することができるため、排水Ｗを担体３００に接触させやすい。
【００４０】
なお、本実施形態では担体３００は開水路９００の延在方向に沿って延在する長尺体であるがこの態様に限定されるものではない。開水路９００の延在方向の大部分（たとえば６０％以上、好ましくは８０％以上）で担体が存在するように構成されていれば、たとえば短尺のブロック状の担体が当該延在方向に沿って一定の間隔をもって断続的に配置される態様などであってもよい。
【００４１】
さらに、本実施形態では、担体３００は、区画部２５０において、開水路９００の底の側に固定されている。これによって、排水Ｗ中の固形物が担体３００に付着しにくく、仮に付着した場合でも、排水Ｗの流れと重力とで剥離し易い。つまり、このような態様で担体３００が固定されることで、浄化機能の低下を防止し易い。
【００４２】
担体３００の区画部２５０への固定態様としては、流下する排水Ｗに対して耐久性を有する限り特に限定されず、担体３００の材質および区画部２５０の材質の特性に応じて当業者が適宜決定することができる。たとえば、接着剤による接着、融着、ねじによる締結、リベットによるかしめなどの固定態様が挙げられる。
【００４３】
担体３００を固定する位置としては、開水路９００に装着された場合に、開水路９００の底から（本実施形態では、底部２９０の浄化部９２０側の端から）間隔をあけた位置であることが好ましい。これによって、排水Ｗおよび排水Ｗ中の固形物が流れやすくなる。具体的には、担体３００を固定する位置は、たとえば１０ｍｍ以上１００ｍｍ以下、好ましくは２０ｍｍ以上５０ｍｍ以下の高さｈの位置であってよい。高さｈが上記下限以上であることは、排水Ｗ中の固形物が担体３００と開水路９００の底との間に詰まることを防ぐ点で好ましく、上記上限以下であることは、担体３００を排水Ｗに接触させやすいため良好な浄化効率を得る点で好ましい。
なお、担体３００を固定する位置とは、担体３００が区画部２５０に固定されている部分のうち、最も開水路９００の底に近い位置をいう。
【００４４】
［２．第１実施例の変形例］
図３は、第１実施形態の第１変形例の開水路排水浄化装置の使用時態様を示す模式的断面図である。図３に示す開水路排水浄化装置１００ａは、基体部２００ａの底部２９０ａの形状が異なることを除いて、図２の開水路排水浄化装置１００と同様である。
【００４５】
基体部２００ａは、一対の支持部２１０と、区画部２５０ａとを含む。区画部２５０ａは、図２での区画部２５０と同様に一対の傾斜板状部を有する一方、開水路９００の底に接触する底部２９０ａは折れ曲がり、その延出方向が開水路９００の底表面に添う水平の板状に形成されている。この場合、底部２９０ａが開水路９００の底に接触する面積をより多く確保するため、開水路排水浄化装置１００ａの設置態様が安定する。また、基体部２００ａの上側（本変形例では流量確保部９３０）の空間をより大きく確保することもできる。
【００４６】
図４は、第１実施形態の第２変形例の開水路排水浄化装置の使用時態様を示す模式的断面図である。図４に示す開水路排水浄化装置１００ｂは、基体部２００ｂの底部２９０ｂの形状が異なることを除いて、図２の開水路排水浄化装置１００と同様である。
【００４７】
基体部２００ｂは、一対の支持部２１０と区画部２５０ｂとを含む。区画部２５０ｂは、開水路９００の底側に凹となる湾曲板状であり、底部２９０ｂが開水路９００の底に接触している。この場合、開水路９００中の排水Ｗの水位が低くても担体３００と排水Ｗとの接触面積を確保しやすくなる。
【００４８】
図５は、第１実施形態の第３変形例の開水路排水浄化装置を示す模式的断面図である。図５に示す開水路排水浄化装置１００ｃは、基体部２００ｃの態様が異なることを除いて、図２の開水路排水浄化装置１００と同様である。
【００４９】
基体部２００ｃは、支持部２１０ｃおよび区画部２５０ｃが網状体で構成されている。網状体はその構造上厚み方向に無数の連通孔を有するためそれ自体が透水性を有する。このため、開水路排水浄化装置１００における連通孔２５５に相当する孔は穿設されていなくてよい。しかし、網状体自体がその構造上有する連通孔が小さく、かつ、網状体自体の強度が十分である場合は、連通孔２５５を穿設して透水性をより良好に確保してもよい。網状体としては、具体的には、比較的剛性のある樹脂ワイヤーを編み込んだ樹脂ネットなどが挙げられる。
【００５０】
図６は、第１実施形態の第４変形例の開水路排水浄化装置を示す模式的断面図である。図６に示す開水路排水浄化装置１００ｄは、基体部２００ｄの区画部２５０ｄに穿設された連通孔２５５が、担体３００の下側のみに存在することを除いて、図２の開水路排水浄化装置１００と同様である。
【００５１】
図７は、第１実施形態の第５変形例の開水路排水浄化装置を示す模式的断面図である。図７に示す開水路排水浄化装置１００ｅは、基体部２００ｅに二対の担体３００がそれぞれ固定位置の高さを異にして固定され、かつ、連通孔２５５が底側の担体３００の固定位置よりも底側と、担体３００同士の間と、上側側の担体の上側との３列で設けられていることを除いて、図２の開水路排水浄化装置１００と同様である。
【００５２】
［３．第２実施形態］
図８は、第２実施形態の開水路排水浄化装置の使用時の態様を示す模式的断面図である。図８に示す開水路排水浄化装置１００ｆは、基体部２００ｆの形状が異なることを除いて、第１実施形態の開水路排水浄化装置１００と同様である。
本実施形態および以下の実施形態においては、主に第１実施形態と異なる点について説明し、同じ点については説明を省略する。
【００５３】
基体部２００ｆは、１つの支持部２１０と区画部２５０ｆとを含む。支持部２１０は、開水路９００の開口側部９１０の一方の側に載せ掛けられて支持されている。区画部２５０ｆは、一方の側が支持部２１０を基端として開水路９００の底に向かって延設された傾斜板状が傾斜を一定に保ったまま他方の側まで延出し、当該他方の側を構成する底部２９０ｆが、開水路９００の底に接触するとともに開水路９００の他方の側の壁に衝止している。これによって、開水路排水浄化装置１００ｆの設置状態が安定する。
【００５４】
［４．第２実施形態の変形例］
図９は、第２実施形態の第１変形例の開水路排水浄化装置の使用時態様を示す模式的断面図である。図９に示す開水路排水浄化装置１００ｇは、基体部２００ｇの底部２９０ｇの形状が異なることを除いて、図８の開水路排水浄化装置１００ｆと同様である。
【００５５】
基体部２００ｇは、１つの支持部２１０と区画部２５０ｇとを含む。区画部２５０ｇは、図８での区画部２５０ｆと同様に傾斜板状の部分を有する一方、開水路９００の底に接触する底部２９０ｇは折れ曲がり、その延出方向が開水路９００の底表面に添う水平の板状に形成されており、かつ、開水路９００の壁に衝止している。この場合、底部２９０ｇが開水路９００の底に接触する面積をより多く確保するため、開水路排水浄化装置１００ｇの設置態様が安定する。また、基体部２００ｇの上側（本変形例では流量確保部９３０）の空間をより大きく確保することもできる。
【００５６】
図１０は、第２実施形態の第２変形例の開水路排水浄化装置の使用時態様を示す模式的断面図である。図１０に示す開水路排水浄化装置１００ｈは、基体部２００ｈの形状が異なることを除いて、図８の開水路排水浄化装置１００ｆと同様である。
【００５７】
基体部２００ｈは、１つの支持部２１０と区画部２５０ｈとを含む。区画部２５０ｈは、開水路９００の底部側に凹となる湾曲板状であり、開水路９００の底に接触する底部２９０ｈが、開水路９００の壁に衝止している。この場合、開水路９００中の排水Ｗの水位が低くても担体３００と排水Ｗとの接触面積を確保しやすくなる。
【００５８】
［５．第３実施形態］
図１１は、第３実施形態の開水路排水浄化装置の使用時態様を示す模式的断面図である。図１１に示す開水路排水浄化装置１００ｉは、担体３００の固定位置が開水路９００の底側ではなく上側であることを除いて、第２実施形態の図８の開水路排水浄化装置１００ｆと同様である。
【００５９】
この場合、非浄化部としては図８の開水路排水浄化装置１００ｆのような排水Ｗが集まる流量確保部９３０が形成されないが、開水路９００の排水Ｗの量が比較的多く流量を確保する必要がない場合の態様として許容される。
【００６０】
［６．他の変形例］
図１２から図１４に、支持部の態様が異なる第１変形例から第３変形例を示す。
【００６１】
図１２（i）から図１２（iii）は、支持部の態様が異なる第１変形例の開水路排水浄化装置の模式的部分断面図である。図示される支持部２１０１，２１０２，２１０３のように、開口側部９１０（図２等参照）へ突出する凸部を１または複数設けることで、支持される開水路排水浄化装置がずれないように固定し、支持を安定化させることができる。本変形例は、上述の全ての実施形態およびその変形例に適用することができる。
【００６２】
図１３は、支持部の態様が異なる第２変形例の開水路排水浄化装置の使用時態様を示す模式的断面図である。図１３に示す開水路排水浄化装置１００ｊは、基体部２００ｊが支持部２１０ｊを有することを除いて上述の第１実施形態と同様である。支持部２１０ｊは、開口側部９１０ではなく開水路９００の側壁で支持されるように構成されている。これによって、開口側部９１０で開水路排水浄化装置１００ｊの設置による段差が生じない。本変形例は、第１実施形態の第１変形例から第５変形例にも同様に適用することができる。
【００６３】
図１４は、支持部の態様が異なる第３変形例の開水路排水浄化装置の使用時態様を示す模式的断面図である。図１４に示す開水路排水浄化装置１００ｋは、基体部２００ｋが支持部２１０ｋを有することを除いて上述の第２実施形態と同様である。支持部２１０ｋは、開口側部９１０ではなく開水路９００の側壁および底面で支持されるように構成されている。これによって、開口側部９１０で開水路排水浄化装置１００ｋの設置による段差が生じない。第２実施形態の第１変形例および第２変形例にも同様に適用することができる。
【００６４】
本発明の好ましい実施形態は上記の通りであるが、本発明はそれらのみに限定されるものではなく、本発明の趣旨から逸脱することのない様々な実施形態が他になされる。
【００６５】
［実施形態における各部と請求項の各構成要素との対応関係］
本明細書における開水路排水浄化装置１００，１００ａ，〜，１００ｋが請求項の「開水路排水浄化装置」に相当し、基体部２００，２００ａ，〜，２００ｈ，２００ｊ，２００ｋが「基体部」に相当し、支持部２１０，２１０ｊ，２００ｋが「支持部」に相当し、区画部２５０，２５０ａ，〜，２５０ｈが「区画部」に相当し、連通孔２５５が「連通孔」に相当し、担体３００が「担体」に相当し、開水路９００が「開水路」に相当し、開口側部９１０が「開口側部」に相当し、排水Ｗが「排水」に相当する。
【符号の説明】
【００６６】
１００，１００ａ，〜，１００ｋ…開水路排水浄化装置
２００，２００ａ，〜，２００ｈ，２００ｊ，２００ｋ…基体部
２１０，２１０ｊ，２００ｋ…支持部
２５０，２５０ａ，〜，２５０ｈ…区画部
２５５…連通孔
３００…担体
９００…開水路
９１０…開口側部
Ｗ…排水
【図１】
2017172182.tif 000003
【図２】
2017172182.tif 000004
【図３】
2017172182.tif 000005
【図４】
2017172182.tif 000006
【図５】
2017172182.tif 000007
【図６】
2017172182.tif 000008
【図７】
2017172182.tif 000009
【図８】
2017172182.tif 000010
【図９】
2017172182.tif 000011
【図１０】
2017172182.tif 000012
【図１１】
2017172182.tif 000013
【図１２】
2017172182.tif 000014
【図１３】
2017172182.tif 000015
【図１４】
2017172182.tif 000016